【事件の表示】
　特許第３１３６１３９号「録画予約制御装置および録画予約制御方法」の請求項１、２に係る特許に対する特許異議の申立てについて、次のとおり決定する。
【結　論】
　訂正を認める。
　特許第３１３６１３９号の請求項１ないし２に係る特許を取り消す。
【理　由】
１、手続きの経緯
　本件特許第３１３６１３９号の発明は、特願昭６３−１３８６７９号（昭和６３年６月６日出願）の分割出願である特願平１０−５８５６７号をさらに分割した特願平１１−１０８０２５号出願であって、平成１２年１２月１日に設定登録され、その後、特許異議の申し立てがあり、当審において取消理由通知をしたところ、その指定期間内である平成１４年１月２３日に意見書並びに訂正請求が提出されたものである。
　
２、訂正の適否
（１）訂正の概要
（イ）設定登録時請求項１及び２である
「【請求頃１】テレビの放映内容を録画するビデオ録画装置の接続部にコネクタにより装着されて、その録画を制御する録画予約制御装置において、
　少なくともテレビ放送の内容と放映時間とを含む情報を予め記憶する記憶手段と、
　該記憶された情報をテレビ受像機に表示させる表示制御手段と、
　該表示された情報から所望の放送内容を選択する選択手段と、
　該選択された情報に従って、その放映時間をビデオ録画装置の録画予約手段に設定する録画設定手段と前記選択手段によって選択された番組と同一内容の番組をサーチするサーチ手段と、
　を備えたことを特徴とする録画予約制御装置。
【請求項２】テレビの放映内容を録画するビデオ録画装置の接続部にコネクタにより装着されて、その録画を制御する録画予約制御方法において、
　少なくともテレビ放送の内容と放映時間とを含む情報を予め記憶する記憶手段と、
　該記憶された情報をテレビ受像機に表示させ、
　該表示された情報から所望の放送内容を選択し、
　該選択された情報に従って、その放映時間をビデオ録画装置の録画予約手段に設定し、
　前記選択された番組と同一内容の番組をサーチすることを特徴とする録画予約制御方法。」 
を、特許請求の範囲の減縮を目的として、
「【請求項１】
（ａ１）テレビの放映内容を録画するビデオ録画装置の接続部にコネクタにより装着されて、その録画を制御する録画予約制御装置において、
（ｂ１）　少なくともテレビ放送の内容と放映時間とを含む情報を予め記憶する記憶手段と、
（ｃ１）　該記憶された情報をテレビ受像機に表形式で表示させる表示制御手段と、
（ｄ１）　該表示された情報から所望の放送内容を選択する上下左右のカーソルキーと、
（ｅ１）　該選択された情報に従って、その放映時間をビデオ録画装置の録画予約手段に設定する録画設定手段と、
（ｆ１）　前記カーソルキーによって選択された番組と同一内容の番組をサーチするサーチ手段と、
（ｇ１）　を備えたことを特徴とする録画予約制御装置。
【請求項２】
（ａ２）テレビの放映内容を録画するビデオ録画装置の接続部にコネクタにより装着されて、その録画を制御する録画予約制御方法において、
（ｂ２）　少なくともテレビ放送の内容と放映時間とを含む情報を予め記憶する記憶手段と、
（ｃ２）　該記憶された情報をテレビ受像機に表形式で表示させ、
（ｄ２）　該表示された情報から所望の放送内容を上下左右のカーソルキーで選択し、
（ｅ２）　該選択された情報に従って、その放映時間をビデオ録画装置の録画予約手段に設定し、
（ｆ２）　前記選択された番組と同一内容の番組をサーチする
（ｇ２）ことを特徴とする録画予約制御方法。」（以下、訂正発明１及び訂正発明２という）と訂正する。（訂正請求項１および２の各段落の冒頭のカッコ書きは、権利者の意見書の記載を基に一部修正の上、区分のため付与した）
　
（ロ）【発明の詳細な説明】を請求項の訂正に対応して訂正する。
（詳細は省略）
　
（２）訂正請求に対する当審の判断
（イ）特許法１２０条の４第２項ただし書きの訂正の目的の検討
（ｉ）特許請求の範囲について
　特許請求の範囲を上記訂正発明１及び２のように訂正することは、特許請求の範囲の減縮するものであるから、同法ただし書き第１号の規定を満たす。
（ii）発明の詳細な説明について
　特許請求の範囲の訂正と整合をとる訂正であるから、不明瞭な記載の釈明に相当するものであるから、同法ただし書き第３号の規定を満たす。
　
（ロ）特許法１２０条の４第３項で準用する特許法第１２６条第２項及び第３項の検討。
　訂正発明１および２において、「表形式で表示」と訂正すること並びにこれに対応する詳細な説明の訂正は、出願時の明細書の図４並びに【００１４】の記載を根拠とする訂正であると共に、「表示」とある設定時の請求項の記載を明確にするものであるから、特許法１２０条の４第３項で準用する特許法第１２６条第２項及び第３項の何れの規定をも満たす。
　同様に「上下左右カーソルキー」および「カーソルキーによって選択」・「カーソルキーで選択」と訂正すること並びにこれに対応する詳細な説明の訂正も、出願時の明細書図２・３および５・６とそれらの詳細な説明である【００１４】等の記載を根拠とした訂正で、設定時の請求項１および２の記載を明確にするものであるから、特許法１２０条の４第３項で準用する特許法第１２６条第２項及び第３項の何れの規定をも満たす。
　
３、特許異議申立ての概要
特許異議は、小林勝男及び生田幸子の２件の申し立てがなされた。
（１）申立人小林勝男の異議申立理由の概要
（イ）取消を求める請求項
　　　請求項１及び２
（ロ）理由
　　　請求項１
　　　条文：第２９条第２項
　　　請求項２
　　　条文：第２９条第２項
（ハ）証拠
甲第１号証：米国特許第４７０６１２１号公報
甲第２号証：特開昭６０−２１８９８１号公報
甲第３号証：特開昭６０−２３６５９１号公報
甲第４号証：特開昭６２−６０３７８号公報
甲第５号証：実願昭６１−３０４２３号（実開昭６２−１４２７３４号）のマイクロフィルム
甲第６号証：実願昭６１−４６６８号公報（実開昭６２−１１７７２５号）のマイクロフィルム
甲第７号証：特開昭６０−１８２５４０号公報
参考資料１：特開昭４９−１３５５１３号公報
参考資料２：特開昭５８−１３７３３４号公報
　
（２）申立人生田幸子の異議申立理由の概要
（イ）取消を求める請求項
　　　請求項１及び２
（ロ）理由
　　　請求項１
　　　条文：第２９条第２項
　　　請求項２
　　　条文：第２９条第２項
（ハ）証拠
甲第１号証：特開昭６０−６０３７７号公報
甲第２号証：特開昭６０−６０３７２号公報
甲第３号証：米国特許第４７０６１２１号公報
　
４、当審の取消理由
（１）取消理由の１（特許法第２９条第２項）に対して、
（イ）本件発明の認定
　本件発明は、上記訂正発明１及び２に記載される通りの２発明と認める。
　
（２）取消理由１で引用した刊行物記載発明
　米国特許第４７０６１２１号明細書（１９８７年１１月１０日刊）（以下、刊行物１記載発明という）
　図１〜１３を基に以下の詳細な記載（翻訳は、生田幸子の異議申立書の翻訳を援用）がある。
（イ）１欄１０−２４行「１．発明の分野　　本発明はユーザがスケジュールからあらかじめ選択した番組を呈示するよう、テレビ受像機を制御する電子システムと方法に関する。特に、本発明は様々な形で組み合わされる選択基準をユーザが使用して、放送番組の選択を行うことができるようにする電子システムと方法に関する。さらに詳しくは、本発明は放送形態のスケジュール情報を受信し、次にそのスケジュール情報を処理して選択を行う電子システムと方法に関する。本発明はさらに、ユーザがメニューからの簡単な選択を行うことにより、ビデオ・カセット・レコーダ（ＶＣＲ）を無人操作でプログラムできるようにするシステムに関する。」
（ロ）４欄５３−６０行「本発明の方法には以下のステップが含まれる。番組スケジュール情報がデータ・プロセッサに供給される。ユーザ番組選択基準がデータ・プロセッサに供給される。ユーザ選択基準が使用され、データ・プロセッサ中の番組スケジュール情報から視聴する番組を選択する。記憶された情報が使用され、テレビ受信機を選択された番組に同調する。
（ハ）４欄６７行−５欄１８行「好適なシステムにはデータ・プロセッサから信号を受信するために接続されるビデオ表示生成器が含まれ、スケジュール情報とテレビ受信機上のユーザ選択からビデオ表示を生成する。ビデオ表示生成器はビデオ表示信号をビデオ・スイツチャに供給するよう接続される。プログラム可能チューナも放送番組信号をビデオ・スイツチャに供給するよう接続される。データ・プロセッサはビデオ・スイツチャを制御し、システムの動作の際、必要に応じて放送番組信号及び／またはビデオ表示信号をテレビ受信機に供給するよう構成及び接続される。好適な形態では、本システムのデータ・プロセッサは、信号をビデオ表示生成器に提供してテレビ受信機上に複数のユーザ選択メニューを表示するよう構成される。第２ユーザ選択入力手段には、スケジュール情報から番組を選択する際に使用されるメニューから選択を行う、複数のキーが含まれる。」
（ニ）９欄４６行−１０欄１０行「２．キーボード操作の概要　　図５は図３及び図４の遠隔制御送信機１１６及び１８８で使用されるキーボード２２０の配置を示す。キー２２２〜２４４は以下の意味を有する。
　ＭＧ２２２：番組の直接一覧表示及び即時選択のためのマスタ・ガイド。
　ＰＧ２２４：記憶された機能を設定し、ヘルプ情報にアクセスするための番組ガイド。
　ＴＶ２２６：従来のチャンネル選択を選ぶ。
　ＳＥＬ２２８：ＴＶ上に表示されるメニューから番組を選択する。
　Ｃ２３０：ＰＧモードで記憶された番組を取り消す。ＭＧモードのチャンネル制限のオン、オフを行う。
　↑２３２：ボインタを一覧表示の一番上に移動する。ポインタが一番上の行にある時押すと前のページに自動スクロールする。
　↓２３４：ボインタを一覧表示の一番下に移動する。ポインタが一番下の行にある時押すと次のページに自動スクロールする。
　→２３６：次のページに移動する。ポインタの位置は変更されない。最後のページが表示されている場合１週間の一覧表示の始めに戻る。
　←２３８：前のページに移動する。ポインタは変更されない。
一覧表示がすでに始めにある場合、１週間の一覧表示の終わりに戻る。
　Ｐ ２４０：前に数字キー一を押さない場合、Ｐは一覧表示をゴールデンアワーだけに制限する。数字キーの後に入力した場合、Ｐは午後を示す。
　Ａ２４２：前に数字キーを押さない場合、Ａは一覧表示を選択されたテーマだけに制限する。数字キーの後に入力した場合、Ａは午前を示す。
　２４４：翌日に進み、時間は変更されない。１週間の曜日毎に移動する。」
（ホ）１１欄５１−６１行「カーソル・キー２３２〜２３６を使用して異なる番組を選択することができる。ＵＰ／ＤＯＷＮカーソル・キー２３２〜２３４はカーソルを一度に１行上または１行下に移動させる。一覧表示の一番上または一番下に到達すると、ＵＰキー２３４は１つ前のページを自動的に画面に表示し、ＤＯＷＮキーは次のページを画面に表示させる。
　一覧の表示を速めるため、左及び右矢印ページ・キー ２３８及び２３６が使用され、それぞれ一度に１ページずつ前及び後ろに移動する。ページ・キー２３６・２３８が使用される際は、カーソル位置は変更されない。」
（ヘ）１２欄１２−４２行「４．番組ガイド（ＰＧ）モード　　高度なユーザの場合、番組マスタを設定して、ある種類の番組（テーマ）のみ、あるチャンネルのみ、及びゴールデンアワーのようなある時間内の番組のみを一覧表示することができる。さらに、番組マスタは毎週の番組と特別番組を記憶することができる。記憶された番組を使用して、ユーザの介入なしにアラームを起動またはＶＣＲを使用可能にすることができる。ＰＧモードはメニュー選択のみで一連の番組を無人録画するために使用され、ユーザはＶＣＲのチャンネル、時刻、日付または番組の長さを設定する必要はない。
　番組マスタはこうした機能を設定せずに使用できることに注意されたい。しかし、番組マスタの能力の多くはこうした機能に含まれる。ＰＧモードが平均的なユーザによって使用されることは少ない。高度のユーザの場合、ＰＧモードは毎日再プログラムされることがある。
　ＰＧキー２２４が押された時には、５つのサブモードが使用可能となる。こうした各モードによって、ユーザは番組一覧表示をカスタマイズできる。最初にＰＧキー２２４を押すと、以下の情報が画面の一番下に表示される。
　　　　　　　　　　　　　　　　　　　　　　　　　　　　　　　　　　
ＰＧ　Ｐ　ゴールデンアワー設定モードを選択する。
ＰＧ　Ｃ　制限チャンネル一覧表示モードを選択する。
ＰＧ　＋　毎週／特別番組選択設定モードを選択する。
　　　　　　　　　　　　　　　　　　　　　　　　　　　　　　　　　　
（ト）１５欄１８行−１６欄４４行「ＰＧ＋スケジュール設定　　このモードでは、ユーザは、通常毎週のシリーズとシリーズものでない番組の特別イベントについて、週毎の覚え書き力レンダを作成することができる。覚え書き処理は、番組が開始される前のある時間以前にＴＶがオンになっていない場合アラームを設定する。番組が開始される時ＴＶがオンになっていない場合、覚え書き処理はＶＣＲをオンにし、番組の録画を開始する。
　スケジュールはシリーズの１つの番組またはシリーズの全ての番組に応答するようプログラムできる。例えば、毎日または毎週のショーを、特定の日付または番組一覧表示中の番組がある日全てについてスケジュールに入れることができる。
　番組マスタは、放送局によってシリーズの全ての番組に割り当てられたリンク・コードを使用してシリーズの全ての番組をリンクし、スケジュールに入れることができる。例えば、不規則な時刻と間隔で放送されるＮＢＡプレーオフ・シリーズは、ＮＢＡ−覧表示を選択し、「全番組」という接尾辞を一覧表示に割り当てることで完全にスケジュールに入れられる。シリーズの終了時、一覧表示は自動的に「放送済」という接尾辞が付くように変更される。１週間後、ユーザがそれを削除していなければ、一覧表示は自動的に削除される。番組選択の後にＡキー２４２を入力しない場合、番組は１回のものだけだと想定される。いつでもＡキー２４２を押して「全番組」応答を適用することができる。
　スケジュール・モードに入ると、分割画面によって、上の８行に予定された番組、下の８行に番組一覧が表示される。この一覧表示はＭＧ一覧表示と同一であるが、１６番組ではなく短縮した一覧が表示される。ゴールデンアワー、チャンネル、及びテーマといった他のＭＧパラメータは全て有効である。ユーザはスケジュールを設定する前にＭＧステータスを見直すべきである。２ページの表示を使用してスケジュール一覧表示に１６までの番組を入力することができる。２ページ目にアクセスするにはページ・キー２３２及び２３４を使用する。ＵＰまたはＤＯＷＮキー２３２及び２３４によってスケジュール一覧表示を切り換えられる。
通常のスケジュールを以下に示す。
　　　　　　　　　　　　　　　　　　　　　　　　　　　　　　　　　
　ホテル（全番組）　　　金　午後９時　　　　　　　　チャンネル７
　
　ダイナステイ（全番組）水　午後８：３０　　　　　　チャンネル４
　
　サイモンとサイモン（１回のみ）　　　　　　　　　　　　
　　　　　　　　　　　　月　午後１０時　　　　　　　チャンネル２
　　７：３０　　　　　ニュース　　　　　　　　　　　チャンネル２
　　　　　　　　　　　イブニング　　　　　　　　　　チャンネル４
　　　　　　映画：プライジーの名誉　　　ＳＨＯ
　　　　　　映画：２００１　　　　　　　　　　ＡＤ、チャンネル１９
　　８：００　　　　名画劇場　
　６月３０日　水曜日　午後５：３４
　　　　　　　　　スケジュール 　１ページ（ステータス行）
「全番組」を入力するにはＡを使用する。もう一度Ａを押すと「１回のみ」に戻る
　　　　　　　　　　　　　　　　　　　　　　　　　　　　　　　　　
　　　　　　　　　　　　　　　　　　　　　　　　　　　　　　　　　　「一回のみ」
　　　　　　　　　　　　　　　　　　　　　　　　　　　　　　　　　
　カーソルとべージ・キー２３２〜２３８の操作はＭＧモードと同一であるが、範囲が表示の上または下半分に制限されている点が異なっている。カーソルが番組一覧表示の一番上（９行目）を指している場合、一覧表示は半ページ下にスクロールする（８行）。カーソルがスケジュールの一番下（８行目）を指している場合、スケジュールは次のページにシフトする。スケジュールから番組リスト、またはその逆に移動するには、Ｐキーを使用する。カーソルは新たに選択された側の一番上に移動する。
　下の一覧表示では、＋キー２４４はＭＧモードと同様に動作し、一覧表示を一度に１日ずつ進める。上の画面では、＋キー２４４は有効でない。
　番組をスケジュールに追加するには、Ｐキー２４０を使用してカーソルを番組一覧表示（表示の下半分）に切り換える。カーソル、ページ、または＋キー２３２〜２３４、２３６〜２３８または２４４を使用して希望する番組を探す。ＳＥＬキー２２８を使用してスケジュール中に番組を記憶する。上の画面はすぐに新しく追加された番組を表示する。パージが一杯の場合、番組マスタは自動的に次のページに切り換える。両方のパージが一杯の場合、ステータス行は「ページが一杯」メッセージを表示する。
　予定された番組を取り消して訂正を行うか新しく追加するための空きを作るには、Ｐキー２４０を使用して上の表示に切り換える。ＵＰ／ＤＯＷＮまたはページ・キー２３２〜２３８を使用してカーソルを削除する番組に置く。Ｃキー２３０を押して番組を取り消す。
　スケジュールへの変更は全てＳＥＬまたはＣを押すことで有効になり、ＭＧキー２２２で更新を開始する必要はない。終了するには、ＭＧまたはＴＶキー２２２または２２６を使用する。
　有人操作の場合、予定された番組が開始されると、最初にＴＶをオンにする時番組の名前が字幕としてＴＶ画面に重ねられる。
ＴＶキー２２６を押すと字幕は消える。無人操作の場合、番組名は画面に重ならないので、ＶＣＲ録画を妨げることはない。」
（チ）１７欄３８行−１８欄５６行「番組一覧表示の検索３５２がなされる。検索はチャンネル・バッファ、テーマ・バッファ、ゴールデンアワー・バッファ、及び検索の方向の状態に依存する。ページ３５６が「上へ」の場合、検索は一覧表示ボインタから始まり前方に進む。ページが「下へ」の場合３５７、検索方向は現在の一覧表示ポインタから後方３５８に進む。検索が上記の基準を満足すると、番組一覧表示が画面バッファ３５３に配置される。検索は画面バッファが一杯になる３５４まで続き、一杯の場合検索は終了する。ステータス行情報は画面バッファに送られＴＶによって表示３５５される。
　ＣＰＵ１１０（図３）または１７８（図５）は画面バッファを選択してビデオ表示生成器１３６（図３）または２０４（図４）を駆動し、かつビデオ・スイツチャ１４０（図３）または１７２（図４）を操作してＴＶ１２６（図３）または２００（図４）をプログラム可能ＴＶチューナ１３２（図３）または１６４（図４）から生成器１３６または２０４に切り換える。
　３６０で数字キー２４６（図５）が検出されると、検索時間が３６３で入力された数字に一致するよう変更される。３６２でＰまたはＡキーが検出されると、時刻の午後または午前がそれに応じて変更される。３６４で画面バッファは消去され、新しい検索が開始されて、一覧表示ポインタが新しい検索時間に設定される。
　３６５で＋キー２４４の入力が検出されると、検索日付が３６６で増分され、場面バッファ３６４が消去されて新しい検索が開始され、一覧表示ポインタが次の日に設定される。３６６の増分検索日付は増分が番組一覧表示の最後の日付を越えて進んだ場合一覧表示日付の最初に戻る。
　３７０でＳＥＬキーの入力が検出された場合、プログラム可能チューナ１３２または１６４のチャンネルはＭＧ表示の現在のカーソル位置で３７５で一覧表示されたチャンネルに設定される。ＭＧモードは３７６で終了し、ＴＶ１２６または２００はビデオ・スイツチヤ１４０または１７２によってチユーナ１３２または１６４に切り換えられる。
　３７１でＭＧキー２２２の入力が検出された場合、ＭＧモードは１７６で終了し、ＴＶ１２６または２００は、ＭＧモードが起動する前にプログラム可能チューナ１３２または１６４で設定されたチャンネルに切り換えられる。
　３７３でＰ、ＣまたはＡキー２４０、２３０または２４２の閉鎖が検出された場合、３７７でゴールデンアワー・バッファ、チャンネル．バッファ及びテーマ・バッファがオフまたはオンになる。３６４で画面バッファは消去され、新しい検索が開始され検索基準の１つが変更される。
　３７４でカーソル・キー２３２または２３４の閉鎖が検出された場合、画面カーソルは３７８でカ一ソルの上下に対応して上下する。３５３で画面バッファは更新され、新しいカーソル位置を反映する。
　図７のフローチャートを参照すると、３２１でＰＧキー２２４の閉鎖が検出され、それに３２４でＡキー２４２の閉鎖が続く場合、テーマ・モードが選択される。図９を参照すると、４０１で、示されるように、ＣＰＵ１１０または１７８によってテーマ・バッファ４００が選択され、ビデオ生成器１３６または２０４に出力されＴＶ１２６または２００上に表示される。テーマ・バツファ・データは受信された番組一覧表示データから生成される。テーマは新しいテーマが呈示されるに連れて徐々に変更されることがある。４０２で示されるように、ステータス行情報もＴＶ１２６または２００上に表示される。ステータス行は現在のＰＧモード，テーマ，時刻，日付を表示し、さらに選択されたテーマの数を示す。
　４０３でカーソル・キー２３２〜２３４の閉鎖が検出された場合、４０９でカーソル位置は一覧表示１つずつ上または下に移動し、４０１で表示が更新される。４０４でＳＥＬキー２２８の閉鎖が検出された場合、４１０でカーソルによってポイントされた一覧表示に注釈がつけられ、一覧表示のそばのアスタリスマークとして表示される。
　４０５でＣキー２３０の閉鎖が検出された場合、４１１でカーソルによってポイントされた任意の注釈付きテーマが削除される。テ一マに注釈がついていない場合、Ｃキー２３０は無視される。
　テーマが選択または削除される度に、選択されたテーマの数が判定され４０２でステータス行が更新され現在の状態を反映する。
　４０６で数字１、２、３または４キー２４６の入力が検出された場合、４１２で新しいテーマ・バッファが選択され４０１で表示される。
　４０７でＭＧキー２２２の閉鎖が検出された場合、画面は消去されＭＧモード、図７によって置換される。４０８でＴＶキー２２６の閉鎖が検出された場合、表示はテーマ・モードの前にプログラム可能チューナ１３２または１６４によって選択されたＴＶ番組によって置換される。
　上記の何れか以外のキーが検出された場合、４１３でエラーメッセージがステータス行に配置され使用可能なキーを示す。」
　
（リ）２０欄６６行−２１欄１９行「放送形式
　各番組一覧表示は以下の情報によって構成される。
　　　　　　　　　　　　　　　　　　　　　　　　　　　　　　　　　　
番組の長さ　　　　　　　　　　　　　　時間、分
チャンネル番号　　　　　　　　　　　　２桁の数字
テーマ分類番号　　　　　　　　　　　　２桁の数字
テーマ下位分類番号　　　　　　　　　　２桁の数字
リンク番号（シリーズ番組の場合のみ）　３桁の数字
オプション拡張一覧表示　　　　　　　　３００文字までのテキスト
番組の終了　　　　　　　　　　　　　　１つの文字
衛星記号　　　　　　　　　　　　　　　２つの文字
衛星名　　　　　　　　　　　　　　　　５つの文字
暗号化及び特殊放送標識　　　　　　　　１つの文字
　　　　　　　　　　　　　　　　　　　　　　　　　　　　　　　　　　
（ヌ）２１欄６５行−２２欄２５行「さらに、当業者に明らかなように、図示及び説明された本発明の形態及び細部には様々な変更が可能である。例えば、スケジュール情報は、コンピュサーブ（Ｃｏｍｐｕｓｅｒｖｅ）またはザ・ソース（Ｔｈｅ　Ｓｏｕｒｃｅ）といった情報ユーティリティを通じてパーソナル・コンピュータによりアクセス可能であり、ユーザはユーティリティのメインフレームに対して選択入力を行い、メインフレーム上で選択プログラムを実行した後で選択された番組情報をダウンロードするか、または自分の地域に関する番組スケジュール情報をダウンロードした後パーソナル・コンピュータ上でダウンロードされた番組スケジュール情報により番組選択を行うことができる。テレビ受像機とＶＣＲはパーソナル・コンピュータの周辺機器として制御することができる。また、ユーザはパーソナル・コンピュータから選択された番組情報を利用して本発明の方法によりテレビ受信機またはＶＣＲを手動で操作することができる。ＴＶスケジューラへの入力として、直接放送の代わりに放送情報を含むディスケツトを使用することができる。ディスケットは、プログラム可能ＴＶチューナを制御するコンピュータによって読み取られる。ＴＶスケジューラを使用してＴＶプログラム可能チューナと共に衛星プログラム可能チューナを制御することもできる。ユーザが衛星によって放送された番組の一覧表示を選択する場合、スケジューラはＴＶチューナと共に衛星チューナを自動的に設定し、選択された一覧表示に対応する。こうした変更は、添付の請求項の精神と範囲の中に含まれることが意図される。」
（ル）２１欄２７−５１行「１．スケジュール情報からの放送番組のユーザ選択を可能にするようテレビ受信機を制御するシステムであって、データ・プロセッサと、前記データ・プロセッサに接続される前記スケジュール情報のための第１入力手段と、前記データ・プロセッサに接続される第２ユーザ選択入力手段とを備え、前記データ・プロセッサはユーザ入力に基づいて前記スケジュール情報から番組を選択するよう構成され、さらに前記データ・プロセッサによって選択された番組に関する前記スケジュール情報を受信するよう接続される記憶手段と、前記テレビ受信機に接続されるプログラム可能チューナとを備え、前記プログラム可能チューナは、前記プログラム可能チューナに選択された前記番組に関する放送信号を前記テレビ受信機に供給させるため選択された放送の時刻に前記データ・プロセッサから制御信号を受信するよう接続され、前記データ・プロセッサは、前記データ・プロセッサによって選択された放送番組の時刻に作動信号を番組録画器に供給し、かつ選択された前記番組に関する前記放送信号を前記番組録画器に供給するよう構成され、前記システムは、前記テレビ受信機が前記番組録画器に供給された選択された前記番組に関する前記放送信号以外の番組を受信できるようにするよう構成されたシステム。」
（ヲ）２３欄４７−５８行「１０．前記データ・プロセッサはさらに、前記テレビ受信機上に複数のユーザ選択メニューを呈示するため信号を前記ビデオ表示生成器に提供するよう構成され、前記第２ユーザ選択入力手段は前記スケジュール情報から番組を選択するため前記メニューから選択を行うための複数のキーを有する、請求項９に記載のシステム。」
（ワ）２４欄４２−６３行「１４．スケジュール情報からの放送番組のユーザ選択を可能にするようテレビ受信機を制御するシステムであって、データ・プロセツサと、前記データ・プロセッサに接続される前記スケジュール情報のための第１入力手段と、前記データ・プロセッサに接続される第２ユーザ選択入力手段とを．備え、前記データ・プロセッサはユーザ入力に基づいて前記スケジュール情報から番組を選択するよう構成され、さらに前記データ・プロセッサによって選択された番組に関する前記スケジュール情報を受信するよう接続される記憶手段と、前記テレビ受信機に接続されるプログラム可能チューナとを備え、前記プログラム可能チューナは、前記プログラム可能チューナに選択された前記番組に関する放送信号を前記テレビ受信機に供給させるため選択された放送の時刻に前記データ・プロセッサから制御信号を受信するよう接続され、前記データ・プロセッサは前記データ・プロセッサによって選択された放送番組の時刻に作動信号を番組録画器に供給するよう構成され、前記データ・プロセッサは、選択された前記番組の録画のため制御信号を遠隔制御装置に供給するよう前記番組録画器のための前記遠隔制御装置に接続されるシステム。」
（カ）２６欄４７−５２行「２９．単一シリーズの多数の番組を識別するリンク情報を提供するステップと、前記単一シリーズ中の前記番組の１つのユーザ選択に応答して前記リンク情報に基づき前記単一シリーズの多数の前記番組を選択するステップとをさらに有する、請求項２８に記載の方法。」
　
  以上の記載から、上記刊行物には
　
「１．スケジュール情報からの放送番組のユーザ選択を可能にするようテレビ受信機もしくは番組録画器を制御するシステムであって、
　データ・プロセッサと、
　前記データ・プロセッサに接続される前記スケジュール情報のための第１入力手段と、前記データ・プロセッサに接続される前記スケジュール情報から番組を選択するため前記メニューから選択を行うための上下左右キーを含む複数のキーを有する第２ユーザ選択入力手段とを備え、前記データ・プロセッサはユーザ入力に基づいて前記スケジュール情報から番組を選択するよう構成され、
前記データ・プロセッサは、前記テレビ受信機上に複数のユーザ選択メニューを呈示するため信号を一覧表示の表形式で前記ビデオ表示生成器に提供するよう構成され、
　前記データ・プロセッサによって選択された番組に関する前記スケジュール情報を受信するよう接続される記憶手段と、前記テレビ受信機に接続されるプログラム可能チューナとを備え、
　前記プログラム可能チューナは、前記プログラム可能チューナに選択された前記番組に関する放送信号を前記テレビ受信機に供給させるため選択された放送の時刻に前記データ・プロセッサから制御信号を受信するよう接続され、
　前記データ・プロセッサは、前記データ・プロセッサによって選択された放送番組の時刻に作動信号を前記番組録画器に供給し、かつ選択された前記番組に関する前記放送信号を前記番組録画器に供給するよう構成され、
　前記データ・プロセッサは、スケジュール情報に付与されている単一シリーズの多数の番組を識別するリンク情報に基づき前記単一シリーズの多数の前記番組を選択する手段をさらに有する、
テレビスケジュールのシステム。（以下、刊行物記載発明１という）
２．スケジュール情報からの放送番組のユーザ選択を可能にするようテレビ受信機もしくは番組録画器を制御する方法であって、
　データ・プロセッサと、
　前記データ・プロセッサに接続される前記スケジュール情報のための第１入力手段と、前記データ・プロセッサに接続される前記スケジュール情報から番組を選択するため前記メニューから選択を行うための上下左右キーを含む複数のキーを有する第２ユーザ選択入力手段で、前記データ・プロセッサはユーザ入力に基づいて前記スケジュール情報から番組を選択し、
　さらに、前記テレビ受信機上に複数のユーザ選択メニューを呈示するため信号を一覧表示の表形式で前記ビデオ表示生成器に提供し、
　前記テレビ受信機に接続されるプログラム可能チューナとを備え、
　前記プログラム可能チューナは、前記プログラム可能チューナに選択された前記番組に関する放送信号を前記テレビ受信機に供給させるため選択された放送の時刻に前記データ・プロセッサから制御信号を受信するよう接続され、
　前記データ・プロセッサは、前記データ・プロセッサによって選択された放送番組の時刻に作動信号を前記番組録画器に供給し、かつ選択された前記番組に関する前記放送信号を前記番組録画器に供給し、
　スケジュール情報に付与されている単一シリーズの多数の番組を識別するリンク情報に基づき前記単一シリーズの多数の前記番組を選択する
テレビスケジュールの方法。（以下、刊行物記載発明２という）」
の２発明が記載されているものと認められる。
　
　また、同じく引用した特開昭６０−１８２５４０号公報・実願昭６１−４６６８号の願書に添付された明細書及び図面を撮影したマイクロフィルム（実願昭６２−１１７７２５号公報）・実願昭６１−３０４２３号の願書に添付された明細書及び図面を撮影したマイクロフィルム（実開昭６２−１４２７３４号公報）には、いずれも予約装置の一部にコネックタで一体的に装着させて予約装置であるリモコン側で設定した番組予約内容を録画装置に記憶させる構成が記載されている。
　
（３）対比・判断
　上記刊行物記載発明１および２と本件訂正発明１および２の対比する。
（イ）上記刊行物１記載発明１と本件訂正発明１との対比。
  刊行物１記載発明１の
（ｂ’）「データ・プロセッサと、　前記データ・プロセッサに接続される前記スケジュール情報のための第１入力手段」（ｃ’）「前記データ・プロセッサに接続される前記スケジュール情報から番組を選択するため前記メニューから選択を行うための上下左右キーを含む複数のキーを有する第２ユーザ選択入力手段とを備え、前記データ・プロセッサはユーザ入力に基づいて前記スケジュール情報から番組を選択」（ｄ’）「前記テレビ受信機上に複数のユーザ選択メニューを呈示するため信号を一覧表示の表形式で前記ビデオ表示生成器に提供し」（ｅ’）「前記データ・プロセッサによって選択された番組に関する前記スケジュール情報を受信するよう接続される記憶手段と、前記テレビ受信機に接続されるプログラム可能チューナとを備え、　前記プログラム可能チューナは、前記プログラム可能チューナに選択された前記番組に関する放送信号を前記テレビ受信機に供給させるため選択された放送の時刻に前記データ・プロセッサから制御信号を受信するよう接続され、　前記データ・プロセッサは、前記データ・プロセッサによって選択された放送番組の時刻に作動信号を前記番組録画器に供給し、かつ選択された前記番組に関する前記放送信号を前記番組録画器に供給する」（ｆ’）「スケジュール情報に付与されている単一シリーズの多数の番組を識別するリンク情報に基づき前記単一シリーズの多数の前記番組を選択する」（ｇ’）「テレビスケジュールのシステム」は、本件訂正発明１の（ｂ１）「少なくともテレビ放送の内容と放映時間とを含む情報を予め記憶する記憶手段」（ｃ１）「表示された情報から所望の放送内容を選択する上下左右のカーソルキー」（ｄ１）「該記憶された情報をテレビ受像機に表形式で表示させる表示制御手段」（ｅ１）「選択された情報に従って、その放映時間をビデオ録画装置の録画予約手段に設定する録画設定手段」（ｆ１）「前記カーソルキーによって選択された番組と同一内容の番組をサーチするサーチ手段」（ｇ１）「録画予約制御装置」
  に対応する構成とは、認められるものの、
（ｉ）本件訂正発明１は（ｃ１）を有することで、表形式の番組表を上下左右のカーソルで番組を選択するのに対して、刊行物１記載発明１も類似の（ｃ’）を有して一覧表示の表形式と上下左右カーソルを有することでは同じではあるものの、具体的には頁内の選択は上下カーソルで行い、頁送りは左右カーソルで行うものと認められ、この点で表現上の構成の相違があると認められる。（以下、相違点１という）
（ii）刊行物１記載発明１の「スケジュール情報からの放送番組のユーザ選択を可能にするようテレビ受信機もしくは番組録画器を制御するシステム」は、本件訂正発明１の（ａ１）「テレビの放映内容を録画するビデオ録画装置の接続部にコネクタにより装着されて、その録画を制御する録画予約制御装置」のようにコネクタにより装着されていることが明記されていない。（以下、相違点２という）　
　
（ロ）相違点に対する当審の判断
　相違点１につて
  刊行物１に記載の番組表示も一覧表示の表形式であるが、頁式の表形式で、上下左右カーソルの上下カーソルが、一覧表示の番組の上下スクロールを行い、左右カーソルは前頁／次頁への移動を示すのであるから、上下左右カーソルを用いて番組を選択しているものといえる。一方、本件訂正発明１の「表形式」がどの様な技術的事項を有するのかは訂正請求項１に記載がないばかりか明細書中にもその定義がなく、ともかく表形式であればどの様な表形式も本件訂正発明１の「表形式」という構成の技術的事項に含まれると認められるから、刊行物１記載の一覧表示の表形式も表形式であることには相違がない以上、訂正請求項１の「表形式」との相違はないと認められ、表現上の相違はあるものの、実質的な相違ではないと判断される。
　このように実質的な相違ではないと認められはするものの、権利者がこの（ｃ１）を訂正請求して、意見書第５頁「（３）引例の発明との比較」の項において、文献１〜４に（ａ１）（ｂ１）（ｅ１）が記載されていることは争わない。しかしながら、文献１〜４にいずれにも（ｃ１）に相当する構成は記載されていないと主張しているので、さらに検討をする。
　権利者が相違すると主張する技術的な構成上の具体的な差違が不明であるが、本件訂正明細書の発明の詳細な説明および図４には、チャンネルを横軸に時間を縦軸にした２次元表示の番組表が記載されているので、権利者の意図した訂正請求の「表形式」の技術的意味が、チャンネルを横軸に、時間を縦軸にした、２次元の番組表示にあると仮定して検討をする。
　まず、本件の訂正請求項１には「すくなくともテレビ放送の内容と放映時間とを含む」とあるだけで、チャンネル情報については含むことの明記はないので、訂正発明１の記載そのものからは、直接的に第４図のような横軸をチャンネル番号に与える番組表で表示するものとは認められ内から、権利者の訂正請求の意図は第４図の表を意識したものとしても、訂正発明１の記載から常識的に解釈されるのは、テレビ放送内容を単に放送時間順に整列させたものにしかならず、刊行物１の（ト）で摘示した番組表示と何ら相違するところはない。
　次に、本件の「表形式」が、仮に、この図４に示されるチャンネルを横軸に縦軸に時間をとった２次元形式の表を意味すると仮定しても、一般にテレビジョン番組を表形式で表示するに当たり、横軸をチャンネル番号、縦軸に時間をとり、その２次元空間内に個々の番組内容をチャンネルと放送時間毎に区切って記載する２次元の表形式で表すことは、新聞のテレビジョン番組表に見られるように、本願出願前より公知・公用のテレビジョン番組表示形式にすぎないから、放送局から送信されてくるチャンネルと放送時間と番組内容からなる情報を受信してモニタに一覧表示の表形式で表示する刊行物１記載の発明１においても、一覧表示の表形式に変えて、チャンネルを横軸に時間を縦軸にとった新聞のテレビジョン番組欄に見られる一般的なテレビジョン番組表の表示式で表示させることは当業者が必要に応じて採用し得るところでしかない。
　
  相違点２
　刊行物１にはコネクタでビデオ録画装置の接続部に装着することの記載がないが、録画予約機器をコネクタで装着させることは、上記刊行物２〜４に示されるように本願出願前に公知であるから、刊行物１においてもそうすることは容易になし得たところにすぎない。
　
（ロ）訂正発明２に対する判断
　訂正発明２と訂正発明１とを対比すると、「方法」発明と「装置」発明との相違並びに多少の方法発明特有の表現の相違はあるものの、技術事項としてみた場合、上記訂正発明２と刊行物１記載発明との対比も、上記（イ）の訂正発明１と刊行物１記載発明との対比における一致点並びに相違点と実質的に異なるところはないので、上記（イ）の訂正発明１と刊行物１記載発明１との対比並びに相違点１および２に対する当審の判断の記載を援用する。
　
４、まとめ
　以上のとおり、本件発明は、その出願日前に頒布された刊行物１〜４に記載された発明に基づいて当業者が容易に発明をすることができたものであるから、本件発明の特許は特許法第２９条第２項の規定に違反してされたものである。
　したがって、訂正請求項１及び２にかかる訂正発明１および２の特許は、特許法第１１３条第２項に該当し、取り消されるべきものと結論の通り決定する。　
【異議決定日】
平成１４年４月２５日（２００２．４．２５）
【訂正の要旨】
　訂正の要旨
１：訂正事項ａ
　特許明細書における特許請求の範囲の請求項１の「該記憶された情報をテレビ受像機に表示させる表示制御手段と、」を不明瞭な記載の釈明並びに特許請求の範囲の減縮を目的として「該記憶された情報をテレビ受像機に
表形式で
２：訂正事項ｂ
　特許明細書における特許請求の範囲の請求項１の「該表示された情報から所望の放送内容を選択する選択手段と、」を、特許請求の範囲の減縮を目的として「該表示された情報から所望の放送内容を選択する
上下左右のカーソルキー
３：訂正事項ｃ
　特許明細書における特許請求の範囲の請求項１の「前記選択手段によって選択された番組と同一内容の番組をサーチするサーチ手段と、」を不明瞭な記載の釈明並びに特許請求の範囲の減縮を目的として「前記カーソルキーによって選択された番組と同一内容の番組をサーチするサーチ手段と、」と訂正する。
４：訂正事項ｄ
　特許明細書における特許請求の範囲の請求項２の「該記憶された情報をテレビ受像機に表示させ、」を不明瞭な記載の釈明並びに特許請求の範囲の減縮を目的として「該記憶された情報をテレビ受像機に
表形式で
５：訂正事項ｅ
　特許明細書における特許請求の範囲の請求項２の「該表示された情報から所望の放送内容を選択し、」を、特許請求の範囲の減縮を目的として「該表示された情報から所望の放送内容を
上下左右のカーソルキーで
６：訂正事項ｆ
　不明瞭な記載の釈明を目的として、特許明細書の【０００５】の「該記憶された情報をテレビ受像機ＴＶに表示させる表示制御手段ＤＣと、」の記載を「該記憶された情報をテレビ受像機ＴＶに
表形式で
表形式で
（５４）【発明の名称】
録画予約制御装置
（５７）【特許請求の範囲】
　【請求項１】　テレビの放映内容を録画するビデオ録画装置の接続部にコネクタにより装着されて、その録画を制御する録画予約制御装置において、
　少なくともテレビ放送の内容と放映時間とを含む情報を予め記憶する記憶手段と、
　該記憶された情報をテレビ受像機に
表形式で
　該表示された情報から所望の放送内容を選択する
上下左右のカーソルキー
　該選択された情報に従って、その放映時間をビデオ録画装置の録画予約手段に設定する録画設定手段と
　前記
カーソルキー
　を備えたことを特徴とする録画予約制御装置。
　【請求項２】　テレビの放映内容を録画するビデオ録画装置の接続部にコネクタにより装着されて、その録画を制御する録画予約制御方法において、
　少なくともテレビ放送の内容と放映時間とを含む情報を予め記憶する記憶手段と、
　該記憶された情報をテレビ受像機に
表形式で
　該表示された情報から所望の放送内容を
上下左右のカーソルキーで
　該選択された情報に従って、その放映時間をビデオ録画装置の録画予約手段に設定し、
　前記選択された番組と同一内容の番組をサーチする
　ことを特徴とする録画予約制御方法。
【発明の詳細な説明】
　【０００１】
　【発明の属する技術分野】
　本発明は、録画予約を行なう録画予約制御装置に関する。
　【０００２】
　【従来の技術】
　ビデオ録画装置（いわゆるビデオテープレコーダ）の普及に伴い、予め設定した時間に自動的に録画を行なう装置が種々提案されている。こうした録画装置では、録画開始時刻や収録番組のチャンネルの設定や録画終了時刻等、設定内容が多岐に亘り、設定にはかなりの手間と慣れとを要する。そこで、機械の操作に慣れない老人等でも簡易に録画予約の設定ができるよう、バーコードを使って録画開始時刻を読み込ませたり、一週間を単位として毎週同時刻に同じ番組を録画する機能を備えた録画装置も提案されている。
　【０００３】
　【発明が解決しようとする課題】
　しかしながら、こうした録画装置でも、バーコードといったいわば約束事を用いるため、操作が直感的ではなく、しかもその操作が煩雑であるという問題があった。特に、放映時間が連続する異なるチャンネルの番組を録画する場合や、同じ番組が週によって異なる時間帯に放映されるといった場合には、バーコードを使用してもその設定は極めて煩雑なものになってしまう。また、バーコードの場合、読み取りミスもあり得る。このため、所望の番組を簡単に録画予約する装置の改善が望まれていた。
　【０００４】
　本発明は上記課題を解決し、録画予約の簡略化を図ることを目的とする。
　【０００５】
　【課題を解決するための手段】
　本発明の請求項１に記載の録画予約制御装置は、第１図に例示するように、
　テレビの放映内容を録画するビデオ録画装置ＶＴＲの接続部にコネクタにより装着されて、その録画を制御する録画予約制御装置において、
　少なくともテレビ放送の内容と放映時間とを含む情報を予め記憶する記憶手段ＭＥと、
　該記憶された情報をテレビ受像機ＴＶに
表形式で
　該表示された情報から所望の放送内容を選択する選択手段ＳＬ
（上下左右のカーソルキー）
　該選択された情報に従って、その放映時間をビデオ録画装置ＶＴＲの録画予約手段ＴＭに設定する録画設定手段ＲＳと、
　前記
カーソルキー
　を備えたことを特徴とする。
　請求項２に記載の本発明は、テレビの放映内容を録画するビデオ録画装置の接続部にコネクタにより装着されて、その録画を制御する録画予約制御方法において、少なくともテレビ放送の内容と放映時間とを含む情報を予め記憶し、該記憶された情報をテレビ受像機に
表形式で
上下左右のカーソルキーで
　【０００６】
　【発明の実施の形態】
　上記構成を有する本発明の録画予約制御装置は、テレビの放映内容を録画するビデオ録画装置に装着されてその録画手段を以下のように制御する。
　録画予約制御装置は、その記憶手段ＭＥに予め記憶した少なくともテレビ放送の内容と放映時間とを含む情報を、表示制御手段ＤＣによりテレビ受像機ＴＶに
表形式で
（上下左右のカーソルキー）による
例えば
　【０００７】
　従って、ビデオ録画装置ＶＴＲは、テレビ受像機ＴＶに表示された放送の内容に基づいて選択された番組の時間になると、録画予約手段ＴＭにより、録画を実行する。
　【０００８】
　【実施例】
　以上説明した本発明の構成・作用を一層明らかにするために、以下本発明の録画予約制御装置の好適な実施例について説明する。第２図は、本発明の録画予約制御装置の一実施例としての録画予約カード１の外観をビデオテープレコーダ（ＶＴＲ）３とこれにケーブル４を介して接続されたテレビ受像機５と共に示す斜視図である。ＶＴＲ３は、図示するように、ビデオカセットテープを挿入するカセット挿入部７，現在時を表示する時刻表示部８，カード形状の録画予約カード１を上方からスライド挿入する接続部１０等を備える。
　【０００９】
　録画予約カード１は、１週間ないし数週間のテレビ放送の番組の内容・時間等を予め記憶させたものであり、単体であるいは番組の内容を解説した週刊誌・月刊誌等と共に販売される。番組の内容等は、本実施例では、後述するように、ＲＯＭに記憶しているが、書換え可能なＰＲＯＭないしバッテリによりバックアップされたＲＡＭに記憶するものとして、自動販売機等で書き換えるものとしてもよい。この録画予約カード１は、ＶＴＲ３の接続部１０に装着して用いられる。
　【００１０】
　録画予約カード１は、その表面には、「設定」「毎週」「連続」等の文字が刻印された制御キー１１，１２，１３と、上下左右の矢印が刻印されたカーソルキー２１，２２，２３，２４とが設けられている。尚、その最下端には、ＶＴＲ３内の接続部１０に接続されるコネクタ３０が設けられている。
　【００１１】
　次に第３図に従って、録画予約カード１とＶＴＲ３の内部構成について説明する。図示するように、録画予約カード１の内部には、周知のＣＰＵ３１，ＲＯＭ３２，ＲＡＭ３３を中心に、これらとバス３４により相互に接続されたキー入力ポート３５，入出力ポート３８等が設けられている。
　【００１２】
　ＲＯＭ３２には、制御プログラムと共に、１週間から４週間分程度の放映番組の簡単な内容と放映開始・終了時刻が記憶されている。また、キー入力ポート３５には、カード表面に設けられた各キー１１ないし１３，２１ないし２４が接続されており、各キーの操作状態を入力する。入出力ポート３８は、ＶＴＲ３内部の制御装置とデータ等をやり取りするためのポートであり、録画予約カード１がＶＴＲ３に装着されたとき、コネクタ３を介してその内部のバス４５に接続される。
　【００１３】
　一方、ＶＴＲ３の内部には、バス４５により相互に接続された周知のＣＰＵ５１，ＲＯＭ５２，ＲＡＭ５３，タイマ５５のほか、アンテナ５７を介してテレビ放送電波を受け映像・音声信号を復調するチューナ６０，復調した信号をビデオテープに録画しあるいは再生する録画再生部６５，映像信号をテレビ５に出力する映像信号出力部７０等を備える。タイマ５５は、年月日を管理するカレンダ機能および２４時間の時計機能を備え、予め内部バス４５を介してＣＰＵ５１により設定された時刻なるとこれをＣＰＵ５１に割込として報知すると共に、時刻表示部８に現在時を表示する。また、チューナ６０は、ＣＰＵ５１の指令を受けて復調するチャンネルを選択することができる。選択されたチャンネルの復調された映像信号は、録画再生部６５に出力されるが、この録画再生部６５には、ＣＰＵ５１の制御信号も出力されており、録画再生部６５はこの信号を受けて、映像信号の録画・再生に応じて、図示しない録画再生用ヘッドの駆動、テープリール駆動用モータの制御等を行なう。更に、映像信号出力部７０は、チューナ６０により復調されたあるチャンネルの映像信号、録画再生部６５により再生された映像信号、ＣＰＵ５１がＲＡＭ５３に記憶した画像データを読み出して生成する映像信号のうちの何れかひとつの映像信号を選択し、これを一旦図示しない内部のビデオメモリに蓄えた後、テレビ受像機５に常時出力する。
　【００１４】
　次に、第４図に示す番組表の説明図、第５図，第６図に示すフローチャートに従って、録画予約カード１およびＶＴＲ３の各ＣＰＵ３１，５１が実行する処理について説明する。録画予約カード１は、ＶＴＲ３に装着されて電源が投入されると、第５図に示すカード側処理ルーチンを開始し、まず、カーソル位置の初期化等の処理を行なう（ステップ１００）。カーソルの初期位置は、予め定めた原点であり、第４図に示す番組表では、最も小さな番号のチャンネルでかつ最も早い時間帯の番組（本実施例では番組Ａ１）に対応した位置である。その後、ＲＯＭ３２から番組表を読み出し（ステップ１１０）、このうちカーソル位置に応じた領域の番組データおよびカーソル位置のデータを入出力ポート３８を介してＶＴＲ３に出力する処理を行なう（ステップ１２０）。即ち、テレビ受像機５には、番組表の全てを一度に表示することができないので、カーソルの位置を中心に一画面分の番組データを出力するのである。出力された番組データは、コネクタ３０を介して一旦ＲＡＭ５３に記憶され、後でＣＰＵ５１の制御により映像信号出力部７０に送られ、ここで映像信号に変換された後、テレビ受像機５に出力される。続いて、録画予約カード１の表面に設けられたキーが操作されるのを待ち（ステップ１３０）、その入力キーに応じてステップ１４０以下の処理に移行する。
　【００１５】
　入力されたキーがカーソルキーの場合には、操作されたキー２１ないし２４のいずれかに応じたカーソルデータを出力し（ステップ１４０）、ＲＡＭ３３に記憶されるカーソル位置情報を番組表の構成に応じて更新する処理を行なう（ステップ１５０）。例えば、カーソルが第４図に示す番組Ｃ３の位置にある場合に、上向き矢印のカーソルキー２１が操作されたときには、そのデータをＶＴＲ３の映像信号出力部７０に出力すると共に、録画予約カード１内のカーソル位置情報を番組Ｃ３から番組Ｃ２の位置に更新するのである。また、右向き矢印のカーソルキー２４が操作された場合には、カーソル位置情報は、番組Ｃ３から番組Ｄ３の位置に更新される。以上の処理の後、ステップ１２０に戻り再びステップ１２０以下の処理を実行する。従って、カーソルが現在表示している領域の外に移動された場合には、ステップ１２０の処理により、表示される番組の領域も更新される。
　【００１６】
　ステップ１３０の判断において入力キーが「設定」キー１１であると判別された場合には、現在のカーソル位置情報に応じた番組の開始時刻とそのチャンネル番号とをＲＯＭ３２から読み出し（ステップ１６０）、続けて録画開始時刻をＶＴＲ３のＣＰＵ５１に出力する処理を行なう（ステップ１７０）。例えば、カーソルが番組Ｃ３にある場合には、この番組の開始時刻８時４５分とチャンネルＣＨ５とが読み出され出力される。続いて、その番組の終了時刻を読み出して（ステップ１８０）、その時刻を出力する処理を行なう（ステップ１９０）。上述した例では、終了時刻９時３０分が読み出され出力されることになる。
　【００１７】
　一方、「毎週」キー１２が入力された場合には、ＲＯＭ３内に記憶された翌週以降の番組をサーチし（ステップ２００）、現在カーソルが存在する番組と同一の番組が翌週以降に存在するか否かの判断を行なう（ステップ２１０）。翌週以降に同一番組が存在すれば、既述した「設定」キーの操作時と同様に、その番組の日付を含む開始時刻・チャンネルの読出と出力、更に終了時刻の読出と出力とを行なう（ステップ１６０ないし１９０）。同一番組がなければ、そのままステップ１２０に戻って、キー入力から処理を繰り返す。この処理により、翌週以降に同一番組が異なる時間帯に放映される場合でも、容易にこれを予約することができる。尚、ＶＴＲ３側の処理については後述する。
　【００１８】
　ステップ１３０において入力キーが「連続」キー１３であった場合には、それまでに設定した複数の番組のうち連続する番組についてその終了時刻を取り消す処理を行なう（ステップ２２０）。この結果、連続する複数の番組（チャンネルが異なる場合も同一の場合も含む）の録画が設定された場合、ひとつの番組の放映時間が終了する度にＶＴＲ３の電源を落とすことがない。
　【００１９】
　以上、録画予約カード１側の処理について説明したが、この処理に応じて、ＶＴＲ３側では次の処理が行なわれる。第６図に示すように、まず、録画予約カード１からデータの出力があるまで待ち（ステップ３００）、データ出力があった場合には、その内容を判別する（ステップ３１０）。出力の内容がカーソルデータ（第５図ステップ１４０に対応）の場合には、ＣＰＵ５１は、映像信号出力部７０にデータを出力し、表示している番組の反転位置を更新する（ステップ３５０）。例えば、第４図に斜線を施した番組Ｃ３が反転表示されている場合、録画予約カード１から下向き矢印のカーソルキー２２が操作されたとの情報が送られたときには、番組Ｃ４を反転表示し番組Ｃ３を正常表示した映像信号の出力に切り換えるのである。
　【００２０】
　一方、録画予約カード１からの出力の内容が番組表のデータである場合には、第５図ステップ１２０で出力されるデータに対応して、これを一旦ＲＡＭ５３に蓄えた後、テレビ受像機５に表示するデータとして映像信号出力部７０にセットする処理（ステップ３２０）と、録画予約カード１が出力するカーソル位置データを入力する処理とを行なう（ステップ３３０）。続いて、入力したカーソル位置のデータに基づいて反転表示する番組の位置を映像信号出力部７０に設定する処理を行なう（ステップ３４０）。
　【００２１】
　また、録画予約カード１からの出力の内容がカード側の処理、ステップ１７０，１９０に対応した設定時刻情報の場合には、この情報を一旦ＲＡＭ５３に記憶し（ステップ３６０）、記憶した複数の時刻情報のうちもっとも現在時に近い日付・時刻をタイマ５５にセットする処理を行なう（ステップ３７０）。タイマ５５は、セットされた日付・時刻になるとＣＰＵ５１に割込をかけ、チューナ６０，録画再生部６５を駆動して記憶されたチャンネルの番組をビデオカセットテープに録画する処理を行なわせる。
　【００２２】
　これらステップ３１０ないし３７０の処理の終了後、ステップ３００に戻って、録画予約カード１からのデータ出力まで待機する処理から繰り返す。
　以上説明した録画予約カード１側の処理およびＶＴＲ３側の処理により、使用者は、次のようにして録画予約の設定を行なう。
　【００２３】
　（１）　まず、ＶＴＲ３に録画予約カード１を装着し電源を投入すると、テレビ受像機５にその日の番組表の一部が、第４図に示すように、表形式で表示される。カーソルキー２１ないし２４を操作することにより、所望の番組を反転表示させることができ、現在表示されている領域の外に反転表示部を移動するようなカーソル操作がされた場合には、表示領域が更新される。尚、その日の番組表以外の番組表を表示させる処理は、特に説明しなかったが、専用のキーを設けてもよいし、カーソルキー２１，２２と他のキーとの組合せにより、前日もしくは翌日の番組表を表示するよう構成することも好適である。
　【００２４】
　（２）　所望の番組を反転表示させた状態で録画予約カード１の「設定」キー１１を操作すると、その番組の日付を含む開始時刻とチャンネルおよび終了時刻が記憶され、ＶＴＲ３はその開始時刻がくると、録画を開始し、終了時刻がくると録画を終了する。
　【００２５】
　（３）　ある番組の録画予約を行なった後、「毎週」キー１２を操作すると、予めＲＯＭ３２内に記憶された翌週以降の番組の内容をサーチし、現在反転表示されている番組と同一のものが存在すれば、その日付を含む開始時刻・チャンネルおよび終了時刻を設定する。従って、同一の番組が異なる時間帯に放映されていても誤りなく録画予約を行なうことができる。
　【００２６】
　（４）　複数の番組の録画予約を設定した後、「連続」キー１３を操作すると、録画予約した番組のうち、連続した時間帯になっている番組の終了時刻の設定を取り消す。従って、連続した時間帯で複数の番組を録画する場合、設定された各番組の終了毎にＶＴＲ３の電源を落とすことがなく、ＶＴＲ３の耐久性上好ましい。
　【００２７】
　以上説明したように、本実施例の録画予約カード１は、予め１週間ないし数週間分の番組の内容とその開始終了時刻を記憶しており、これをテレビ受像機５に表示して、番組の録画予約に供するので、録画予約を極めて簡単に行なうことができる。番組を選択するだけでよいので、時間の設定やバーコードの読取等の手間を要せず、機械の操作になれていない者にもその操作は容易である。更に、本実施例では、同一内容の番組をサーチすることができるので、連続番組が異なる時間帯に放映される場合でも、その録画予約を簡略に行なうことができる。
　【００２８】
　以上本発明の実施例について説明したが、本発明はこうした実施例に何等限定されるものではなく、例え
ば設
　【００２９】
　【発明の効果】
　以上詳述したように、本発明の録画予約制御装置によれば、テレビ受像機に表示される番組の内容を見ながら番組を選択するだけで録画予約を行なえるので、番組の録画予約を極めて簡略化することができるという優れた効果を奏する。
【図面の簡単な説明】
　【図１】　本発明の基本的構成を例示するブロック図である。
　【図２】　本発明一実施例としての録画予約カード１の外観をビデオテープレコーダ３と共に示す斜視図である。
　【図３】　同じく録画予約カード１とビデオテープレコーダ３の内部構成を示すブロック図である。
　【図４】　実施例における番組の表示の一例を示す説明図である。
　【図５】　録画予約カード１側の処理を示すフローチャートである。
　【図６】　ビデオテープレコーダ３側の処理を示すフローチャートである。
　【符号の説明】
　　１…録画予約カード
　　３…ビデオテープレコーダ（ＶＴＲ）
　　５…テレビ受像機
　１１，１２，１３…制御キー
　２１，２２，２３，２４…カーソルキー
　５５…タイマ　　　６０…チューナ
　６５…録画再生部　７０…映像信号出力部